(57)【要約】【課題】遊技機を島に簡単に取付け取外しができるようにする。【解決手段】遊技機取付け具４０は、職人によって、操作レバー６５が一方向へ回転させられると挟持爪７２と取付け部材４１とで遊技機の枠体の上部片３１ａを上下方向から挟持し、他方向へ回転させられると挟持を解除するようになっている。このため、操作レバー６５の単なる回転操作によって、遊技機の上部片３１ａを島の上梁に簡単にかつ速やかに取付け取外しをすることができる。【選択図】図４
2010207410.tif 000002
【特許請求の範囲】
【請求項１】
ホールの島の一部を構成する上梁に取付けられた状態で、遊技機の枠体の上部を前記上梁との間で着脱可能に挟持して、前記遊技機を前記上梁に取付ける遊技機取付け具であって、
前記上梁の下面に取付けられる取付け部材と、
前記取付け部材に対して上下方向に位置調節可能に設けられた本体と、
前記本体に対して上下方向に回転自在に設けられた操作レバーと、
前記操作レバーに連結リンクを介して連結されて、前記操作レバーの一方向への回転によって前記取付け部材とで前記遊技機の枠体の上部を上下方向から挟持し、他方向への回転によって前記挟持を解除する挟持爪と、
前記取付け部材に対して前記本体を上下方向に位置調整する調整手段と、を備え、
前記調整手段は、前記本体と前記操作レバーと前記連結リンクと前記挟持爪とを一緒に上下方向に位置調整して、前記挟持片と前記取付け部材との上下間隔を調節し、
前記連結リンクは、前記操作レバーの回転によって、前記操作レバーとの屈曲方向を逆向きにさせられて、前記挟持爪に前記取付け部材とで前記枠体の上部を上下方向からの前記挟持と前記挟持の解除とをさせる、
ことを特徴とする遊技機取付け具。
【請求項２】
前記調整手段は、
前記本体にねじ込まれて、前記取付け部材が取付けられた前記上梁の上面を押圧し、前記取付け部材に対する前記本体の上下方向の位置決めをする上下位置決めねじと、
前記取付け部材に前記本体を固定及び固定解除可能な固定手段と、を有している、
請求項１に記載の遊技機取付け具。
【請求項３】
前記挟持爪は、前記操作レバーの回転によって、前記連結リンクと前記挟持爪との連結点と、前記操作レバーの回転中心との間を、前記連結リンクと前記操作レバーとの連結点が横切ることによって、前記挟持と前記挟持の解除とを行う、
請求項１に記載の遊技機取付け具。
【請求項４】
前記上下位置決めねじは、先端に前記上梁の上面に食い込む爪を有している、
請求項２に記載の遊技機取付け具。
【請求項５】
ホールの島の一部を構成する下梁に取付けられて、前記下梁とで遊技機の枠体の下部を前記下梁との間で着脱可能に挟持して、前記遊技機を前記下梁に取付ける遊技機取付け具であって、
前記下梁に取付けられる本体と、
前記本体にねじ込まれて、前記下梁に対して前記遊技機の枠体の下部の前後方向の位置決めをする前後位置決めねじと、
前記本体に対して上下方向に回転自在に設けられた操作レバーと、
前記本体に対して上下方向に回転自在に設けられて、前記本体が取付けられた前記下梁とで前記枠体の下部を上下方向から挟持する挟持レバーと、
前記操作レバーと前記挟持レバーとを連結する連結リンクと、を備え、
前記連結リンクは、前記操作レバーの回転によって、前記操作レバーとの屈曲方向を逆向きにさせられて、前記挟持レバーに前記本体が取付けられた前記下梁とで前記枠体の下部を上下方向からの前記挟持と前記挟持の解除とをさせる、
ことを特徴とする遊技機取付け具。
【請求項６】
前記挟持レバーは、前記本体が取付けられた前記下梁とで前記枠体の下部を挟持する挟持力を調整する挟持力調整ねじを先端に有し、前記挟持力調整ねじを介して前記下梁とで前記枠体の下部を挟持する、
請求項５に記載の遊技機取付け具。
【請求項７】
前記挟持レバーは、前記操作レバーの回転によって、前記連結リンクと前記挟持レバーとの連結点と、前記操作レバーの回転中心との間を、前記連結リンクと前記操作レバーとの連結点が横切ることによって、前記挟持と前記挟持の解除とを行う、
請求項５に記載の遊技機取付け具。
【請求項８】
前記連結リンクは、前記操作レバーの回転中心から前記操作レバーの反対側に延びて屈曲した延長片と、前記挟持レバーの回転中心から前記挟持レバーの反対側に延びて屈曲した延長片とを連結し、
前記挟持レバーは、前記操作レバーの回転によって、前記連結リンクと前記挟持レバーの延長片との連結点と、前記操作レバーの回転中心との間を、前記連結リンクと前記操作レバーの延長片との連結点が横切ることによって、前記挟持と前記挟持の解除とを行う、
請求項５に記載の遊技機取付け具。
【請求項９】
前記前後位置決めねじと、前記挟持力調整ねじは、先端に前記枠体の下部に食い込む爪を有している、
請求項６に記載の遊技機取付け具。
【発明の詳細な説明】
【技術分野】
【０００１】
本発明は、パチンコホールやパチスロホールにおいて、パチンコ台やパチスロ台等の遊技機を複数台一まとめにしてブロック化する島に対して、遊技機を簡単に取付け取外しができるようにした遊技機取付け具に関する。
【背景技術】
【０００２】
パチンコホールやパチスロホールは、島を複数箇所、配置して形成されている。このような島は、ホールの新装開店時には新たに遊技機が設置されたり、改装時には古い遊技機が新しい遊技機と交換されたりしている。島は一般に木製や金属製の枠によって形成され、遊技機は、枠に対して大半は直接、釘，木ねじで固定され、一部、遊技機取付け具によって固定されることもある。
【０００３】
遊技機取付け具として特許文献１に記載のものがある。この取付け具によって、遊技機の枠体の上部を島の上梁に取付けるには、枠体の上部に取付けられた調整部材と、上梁に取付けられたアングル部材に横方向に位置調整可能に設けられた調整ねじ保持部材とを、調整ねじ保持部材に保持された調整ねじで連結して、調整ねじを回転させることによって、上梁に対する枠体の上部の取付け位置を調整する必要がある。また、遊技機の枠体の下部を島の下梁に取付けるには、下梁に取付けられた調節ねじ保持部材に保持された固定ねじで枠体の下部を下梁に押し付けて取付けるようになっている。
【特許文献１】実用新案登録第３１３０００５号公報
【発明の開示】
【発明が解決しようとする課題】
【０００４】
ところで、遊技機は、ホールの新装開店時や改装時における取付け取外しを、ホールの使用効率を高めるため、短時間の内に、速やかに行う必要がある。しかし、従来の遊技機取付け具は、調整部材を遊技機の枠体の上部に取付ける必要があった。また、固定ねじを回転させて枠体の下部を下梁に押し付ける必要があった。このため、従来の遊技機取付け具は、遊技機を島に取付けるのに時間を要して、ホールの使用効率を向上させることが困難であった。
【０００５】
本発明は、遊技機を島に簡単に取付け取外しができる遊技機取付け具を提供することにある。
【課題を解決するための手段】
【０００６】
請求項１に係る遊技機取付け具は、
ホールの島を形成する上梁に取付けられた状態で、遊技機の枠体の上部を着脱可能に挟持して、前記遊技機を前記上梁に取付けるようになっており、
前記上梁の下面に取付けられる取付け部材と、
前記取付け部材に上下方向に位置調節可能に設けられた本体と、
前記本体に上下方向に回転自在に設けられた操作レバーと、
前記操作レバーに連結リンクを介して連結されて、前記操作レバーの一方向への回転によって前記取付け部材とで前記遊技機の枠体の上部を上下方向から挟持し、他方向への回転によって前記挟持を解除する挟持爪と、
前記取付け部材に対して前記本体を上下方向に位置調整する調整手段と，を備え、
前記調整手段は、前記本体と前記操作レバーと前記連結リンクと前記挟持爪とを一緒に上下方向に位置調整して、前記挟持片と前記取付け部材との上下間隔を調節し、
前記連結リンクは、前記操作レバーの回転によって、前記操作レバーとの屈曲方向を逆向きにさせられて、前記挟持爪に前記取付け部材とで前記枠体の上部を上下方向からの前記挟持と前記挟持の解除とをさせる、
ことを特徴としている。
【０００７】
請求項２に係る遊技機取付け具における、
前記調整手段は、
前記本体にねじ込まれて、前記取付け部材が取付けられた前記上梁の上面を押圧し、前記取付け部材に対する前記本体の上下方向の位置決めをする上下位置決めねじと、
前記取付け部材に前記本体を固定及び固定解除可能な固定手段と、を有している。
【０００８】
請求項３に係る遊技機取付け具における、
前記挟持爪は、前記操作レバーの回転操作によって、前記連結リンクと前記挟持爪との連結点と、前記操作レバーの回転中心との間を、前記連結リンクと前記操作レバーとの連結点が横切ることによって、前記挟持と前記挟持の解除とを行うようになっている。
【０００９】
請求項４に係る遊技機取付け具における、
前記上下位置決めねじは、先端に前記上梁の上面に食い込む爪を有している。
【００１０】
請求項５に係る遊技機取付け具は、
ホールの島を形成する下梁に取付けられて、前記下梁とで遊技機の枠体の下部を着脱可能に挟持し、前記遊技機を前記下梁に取付けるようになっており、
前記下梁に取付けられる本体と、
前記本体にねじ込まれて、前記下梁に対して前記遊技機の枠体の下部の前後方向の位置決めをする前後位置決めねじと、
前記本体に上下方向に回転自在に設けられた操作レバーと、
前記本体に回転自在に設けられて、前記本体が取付けられた前記下梁とで前記枠体の下部を上下方向から挟持する挟持レバーと、
前記操作レバーと前記挟持レバーとを連結する連結リンクと、を備え、
前記連結リンクは、前記操作レバーの回転によって、前記操作レバーとの屈曲方向を逆向きにさせられて、前記挟持レバーに前記本体が取付けられた前記下梁とで前記枠体の下部を上下方向からの前記挟持と前記挟持の解除とをさせる、
ことを特徴としている。
【００１１】
請求項６に係る遊技機取付け具における、
前記挟持レバーは、前記本体が取付けられた前記下梁とで前記枠体の下部を挟持する挟持力を調整する挟持力調整ねじを先端に有し、前記挟持力調整ねじを介して前記下梁とで前記枠体の下部を挟持するようになっている。
【００１２】
請求項７に係る遊技機取付け具における、
前記挟持レバーは、前記操作レバーの回転によって、前記連結リンクと前記挟持レバーとの連結点と、前記操作レバーの回転中心との間を、前記連結リンクと前記操作レバーとの連結点が横切ることによって、前記挟持と前記挟持の解除とを行うようになっている。
【００１３】
請求項８に係る遊技機取付け具における、
前記連結リンクは、前記操作レバーの回転中心から前記操作レバーの反対側に延びて屈曲した延長片と、前記挟持レバーの回転中心から前記挟持レバーの反対側に延びて屈曲した延長片とを連結し、
前記挟持レバーは、前記操作レバーの回転によって、前記連結リンクと前記挟持レバーの延長片との連結点と、前記操作レバーの回転中心との間を、前記連結リンクと前記操作レバーの延長片との連結点が横切ることによって、前記挟持と前記挟持の解除とを行うようになっている。
【００１４】
請求項９に係る遊技機取付け具における、
前記前後位置決めねじと、前記挟持力調整ねじは、先端に前記枠体の下部に食い込む爪を有している。
【発明の効果】
【００１５】
請求項１の発明における遊技機取付け具は、職人によって、操作レバーが一方向へ回転させられると挟持爪と取付け部材とで遊技機の枠体の上部を上下方向から挟持し、他方向へ回転させられると挟持を解除するようになっているので、操作レバーの単なる回転操作によって、遊技機の上部を島の上梁に簡単にかつ速やかに取付け取外しをすることができる。
また、請求項１の発明における遊技機取付け具は、調整手段によって、島の上梁に取付けられた取付け部材に対する本体の上下方向の位置を調整して、取付け部材と挟持爪との上下間隔を調節することができるので、枠体の上部における上下方向の厚みに合わせて、上下間隔の調節をすることができて、枠体の上部を島の上梁に確実に取付けることができる。
【００１６】
請求項２の発明における遊技機取付け具のように、本体にねじ込まれた上下位置決めねじを回転させて、取付け部材に対して本体と本体と一体の挟持爪との上下方向の位置を調整し、固定手段によって取付け部材に本体を固定できるようにすると、枠体の上部の上下方向の厚みに合わせて調整した、枠体の上部を島の上梁に取付けるときの取付け部材と挟持爪との上下方向の間隔を、確実に保持しておくことができる。
【００１７】
請求項３の発明における遊技機取付け具のように、操作レバーの回転操作によって、連結リンクと挟持爪との連結点と、操作レバーの回転中心との間を、連結リンクと操作レバーとの連結点が横切るようになっていると、挟持爪と取付け部材とで枠体の上部を上下方向から挟持した状態を、操作レバーを回転操作しない限り解除することができなくなり、挟持状態を確実に保持することができる。
【００１８】
請求項４に係る遊技機取付け具のように、上下位置決めねじの先端に爪を設けると、爪を上梁の上面に食い込ませて上下位置決めねじと取付け部材とで上梁を確実に挟持することができる。
【００１９】
請求項５の発明における遊技機取付け具は、職人によって、操作レバーを一方向へ回転操作されると、挟持レバーと本体に取付けられた下梁とで枠体の下部を上下方向から挟持し、他方向へ回転操作されると、挟持を解除するようになっているので、操作レバーを単なる回転操作によって、遊技機の下部を島の下梁に簡単にかつ速やかに取付け取外しをすることができる。
また、請求項５の発明における遊技機取付け具は、前後位置決めねじによって、遊技機の枠体の下部の前後方向の位置決めをできるので、島に対する遊技機の傾きの調整を簡単に行うことができる。しかも、遊技機の傾き調整を遊技機の下部の低い位置で行うことができて、傾き調整作業を容易に行うことができる。
【００２０】
請求項６の発明における遊技機取付け具のように、挟持レバーが、先端に、挟持力調整ねじを有していると、挟持レバーが、本体が取付けられた下梁とで、遊技機の枠体の下部を最適な挟持力で挟持することができて、枠体の下部を下梁に確実に取付けることができる。
【００２１】
請求項７の発明における遊技機取付け具のように、操作レバーの回転操作によって、連結リンクと挟持レバーとの連結点と、操作レバーの回転中心との間を、連結リンクと操作レバーとの連結点が横切るようになっていると、挟持レバーと下梁とで枠体の下部を上下方向から挟持した状態を、操作レバーを回転操作しない限り解除することができなくなり、挟持状態を確実に保持することができる。
【００２２】
請求項８の発明における遊技機取付け具のように、操作レバーの回転によって、連結リンクと前記挟持レバーの延長片との連結点と、操作レバーの回転中心との間を、連結リンクと操作レバーの延長片との連結点が横切るようになっていると、挟持レバーと下梁とで枠体の下部を上下方向から挟持した状態を、操作レバーを回転操作しない限り解除することができなくなり、挟持状態を確実に保持することができる。
【００２３】
請求項９に係る遊技機取付け具のように、前後位置決めねじと、挟持力調整ねじとの先端に爪を設けると、枠体の下部を確実に保持することができる。
【図面の簡単な説明】
【００２４】
【図１】遊技機が取付けられる島全体の斜視図である。
【図２】図２（Ａ）は、図１の島の平面図である。図２（Ｂ）は、図１の島を左側から見た図である。
【図３】パチンコ台が取付けられた島とパチンコ台との断面図である。
【図４】本発明の実施形態の遊技機取付け具における上部取付け具の正面図であり、上部取付け具が島の上梁に取付けられて、パチンコ台の枠体の上部片を挟持している状態の図である。
【図５】図４の平面図である。
【図６】図４の右側面図である。
【図７】図４の左側面図である。
【図８】上部取付け具で枠体の上部片を上梁に取付け取外しをする動作説明用の図である。
【図９】取付け部材の下面と挟持爪の爪部との上下方向の間隔を調整する動作説明用の図である。
【図１０】本発明の実施形態の遊技機取付け具における下部取付け具の正面図であり、下部取付け具が島の下梁に取付けられて、パチンコ台の枠体の下部片を挟持している状態の図である。
【図１１】下部取付け具でパチンコ台の枠体の下部片を下梁に取付け取外しをする動作説明用の図である。
【図１２】図１１の平面図である。
【図１３】図１１の右側面図である。
【図１４】図１１の左側面図である。
【図１５】挟持力調整ねじとパチンコ台の枠体の下部片との間隔を調整する動作説明用の図である。
【図１６】図１０乃至図１５に示す下部取付け具とは、操作レバーの操作方向が異なる場合の下部取付け具の正面図である。
【発明を実施するための形態】
【００２５】
以下、本発明の実施形態の遊技機取付け具（以下単に「取付け具」という。）を図面に基づいて説明する。
（遊技機が取付けられる島）
【００２６】
まず、遊技機が取付けられる島の構造を説明する。
【００２７】
図１は、島全体を正面側右斜め上方から見た斜視図である。図２（Ａ）は、図１の島の平面図である。図２（Ｂ）は、島の正面図である。図３は、島の上梁及び下梁に取り付けられた状態のパチンコ台を右側から見た図である。
【００２８】
なお、以下では、本発明に係る取付け具を、島に対してパチンコ台を取付ける場合を例に説明するが、本発明に係る取付け具は、パチンコ台の外に、パチスロ台、さらには正面から見て長方形状の他の遊技機を島に対して便宜に取り付けることができる。
【００２９】
図１に示す島１は、図２（Ｂ）に見えている表側（正面側）に１４台、裏側（背面側）に１４台、合計２８台（台数は限定されない）のパチンコ台３０が取付けられるようになっている。島１は、パチンコ球回収路Ｐを境にして左側と右側とで構造を異にしている。島１は、サイドフレーム１１、連結フレームユニット１２，１３，１４，１５、パチンコ球回収樋（不図示）、パチンコ玉補給路１７、下パネル１８ａ，１８ｂ、上パネル１９ａ，１９ｂ、サイドパネル２０ａ，２０ｂ、上梁２１及び下梁２２等で構成されている。パチンコ台３０は、サイドフレーム１１、上梁２１及び下梁２２で囲まれた領域内に取付けられるようになっている。
（遊技機取付け具）
【００３０】
図３のパチンコ台３０は、正面側（図３中の左側）から見て縦長の長方形状のパチンコ台本体（不図示）と、このパチンコ台本体の周囲を取り囲む額縁状の枠体３１を有している。額縁状の枠体３１は、上部に配置されて左右方向に延びる上部片３１ａと、下部に配置されて上部片３１ａと平行な下部片３１ｂと、上下方向に延びて上部片３１ａ及び下部片３１ｂのそれぞれの左端を連結する左部片（不図示）と、上下方向に延びて上部片３１ａ及び下部片３１ｂのそれぞれの右端を連結する右部片３１ｃとを有している。パチンコ台３０は、木製の枠体３１が、島１のサイドフレーム１１、木製の上梁２１及び下梁２２で囲まれた領域内に収納されて、島１に取付けられるようになっている。枠体３１の上部片３１ａは、上部取付け具（遊技機取付け具）４０によって上梁２１に取付けられ、枠体３１の下部片３１ｂは、下部取付け具（遊技機取付け具）１４０によって下梁２２に取付けられるようになっている。
【００３１】
上部取付け具４０は、左右方向に延びる上部片３１ａの左端近傍及び右端近傍にそれぞれ１つずつ、合計２つ設けられている。下部取付け具１４０も、同様に、左右方向に延びる下部片３１ｂの左端近傍及び右端近傍にそれぞれ１つずつ、合計２つ設けられている。左右方向の位置については、左側の上部取付け具４０と、左側の下部取付け具１４０とが略同じ位置（対応する位置）に配置され、同様に、右側の上部取付け具４０と、右側の下部取付け具１４０とが略同じ位置（対応する位置）に配置されている。このように、パチンコ台３０は、枠体３１が、島１の上梁２１及び下梁２２に対して、２つの上部取付け具４０と２つの下部取付け具１４０の合計４つの取付け具４０，１４０によって位置決め固定されている。
（上部取付け具４０）
【００３２】
図４は、本発明の実施形態の遊技機取付け具における上部取付け具４０の正面図であり、上部取付け具４０が島１の上梁２１に取付けられて、パチンコ台３０の枠体３１の上部片３１ａを挟持している状態の図である。図５は図４の平面図である。図６は図４の右側面図である。図７は図４の左側面図である。ただし、図６，図７では、上梁２１（島１）及び上部片３１ａ（枠体３１）の図示は省略している。図８は上部取付け具４０で枠体３１の上部片３１ａを上梁２１に取付け取外しをする動作説明用の図である。図９は、取付け部材４１の下面４１ａと挟持爪７２の爪部７４との上下方向の間隔を調整する動作説明用の図である。
【００３３】
上部取付け具４０は、島１の上梁２１に取付けられて、操作レバー６５の回転操作によって、パチンコ台３０の枠体３１の上部片３１ａを挟持し、パチンコ台３０を島１に着脱可能に取付けるようになっている。そして、操作レバー６５の逆回転操作によって、挟持が解除されて、枠体３１を島１から取外すことができるようになっている。
図４において、上部取付け具４０は、取付け部材４１、本体５０、操作レバー６５、連結リンク７１、挟持爪７２、調整機構６９等で構成されている。
取付け部材４１は、木製の上梁２１の下面２１ａに木ねじ４２で取付けられる１対の舌片４３(図５)と、上梁２１の側面２１ｂに接触或いは対向する縦片４４とでＬ字状に形成されている。
【００３４】
取付け部材４１には、本体５０が上下方向に位置調節可能に設けられている。本体５０は、取付け部材４１の縦片４４に密着する縦片５１と、縦片５１の側面に直角に突設されて上下方向を向いた１対の操作レバー支持片５２(図５，図６)と、縦片５１の上部に操作レバー支持片５２とは反対側に直角に屈曲して水平に延びて、取付け部材４１に対向するねじ支持片５３とで形成されている。また、縦片５１には、後述する挟持爪７２の上下動を案内する上下方向に延びた縦ガイド５５(図５，図６)が形成されている。
取付け部材４１の縦片４４には、１対の舌片４３に対応する位置にボルト４５が突設されている。２本の各ボルト４５は、本体５０の縦片５１に上下方向の向き（縦）に形成された２つの各縦長孔５４（図６）を貫通して、先端部に締め付けナット４６がねじ込まれている。
【００３５】
本体５０のねじ支持片５３には、上下位置決めねじ６１がねじ込まれている。上下位置決めねじ６１の上端には摘み６２が一体に設けられている。上下位置決めねじ６１の下端には、下向きのカップ状の押さえ片６３が回転自在に設けられている。押さえ片６３のカップ状の縁には、下方に向けて複数の三角爪６４が突設されている。
【００３６】
以上の構成において、ボルト４５と締め付けナット４６は、取付け部材４１に本体５０を固定及び固定解除可能な固定手段としての固定機構４７を構成している。この固定機構４７と上下位置決めねじ６１とで調整手段としての調整機構６９を構成している。
【００３７】
本体５０における１対の操作レバー支持片５２の間には、操作レバー６５の一端を支持する支持軸６６と、操作レバー６５の回転を規制する規制軸６７とが渡して設けられている。操作レバー６５は、上下位置決めねじ６１から離れる方向に延びており、支持軸６６を中心に上下方向に回転できるようになっている。また、操作レバー６５は、規制軸６７によって、不必要に下方へ回転しないように規制されている。
【００３８】
図４において、操作レバー６５の中間部分には、連結リンク７１の一端７１ａが連結軸６８によって回転自在に連結されている。連結リンク７１の他端７１ｂは、挟持爪７２の上部に連結ピン７６を介して回転自在に連結されている。
【００３９】
挟持爪７２は、垂直部７３と爪部７４とによってＬ字状に形成されている。垂直部７３の上部は、連結リンク７１の他端７１ｂと連結ピン７６によって連結されている。爪部７４は、取付け部材４１に平行に延びており、操作レバー６５を回転させたとき、取付け部材４１の下面４１ａとで、枠体３１の上部片３１ａを挟持するようになっている。
【００４０】
次に、上部取付け具４０を島１の上梁２１に取付けた後、取付け部材４１の下面４１ａと挟持爪７２の爪部７４との間隔を調整する手順を説明する。
【００４１】
取付け部材４１に突設されているボルト４５から締め付けナット４６を取外し、取付け部材４１と本体５０とを分解する。そして、取付け部材４１を、木ねじ４２によって上梁２１の下面２１ａに取付けて、上梁２１に固定する。
【００４２】
その後、取付け部材４１のボルト４５に、本体５０に形成された縦長孔５４を挿入させて取付け部材４１に本体５０を組み込む。そして、ボルト４５に締め付けナット４６をねじ込み、軽く締め付ける。この状態で上下位置決めねじ６１をねじ支持片５３にねじ込む方向に回転させる。
【００４３】
すると、図９に示すように、上下位置決めねじ６１は、押さえ片６３を介して固定の上梁２１の上面２１ｃに当接する。さらに、上下位置決めねじ６１を回転させると、上下位置決めねじ６１は、ねじ支持片５３を介して本体５０を実線の位置から破線の位置へ押し上げる。すると、本体５０は、固定の上梁２１に取付けられた固定の取付け部材４１に対して、１対のボルト４５と縦長孔５４とを案内にして上昇する。
【００４４】
本体５０の上昇にともなって、本体５０に設けられた挟持爪７２が取付け部材４１に接近して、挟持爪７２の爪部７４と取付け部材４１との上下方向の間隔が狭くなる。
【００４５】
以上の説明において、上下位置決めねじ６１をねじ支持片５３から抜き取る方向に回転させると、本体５０が下降して、挟持爪７２の爪部７４と取付け部材４１との上下方向の間隔が広くなる。
【００４６】
このように、上下位置決めねじ６１を回転させると、図９に示すように、上下位置決めねじ６１によって本体５０が昇降して、取付け部材４１に対する本体５０の上下方向の位置を調整し、挟持片７２と取付け部材４１との上下間隔を調整することができる。そして、上下間隔を上部片３１ａの厚みに合わせた最適な間隔に調整できた時点で、締め付けナット４６を締め付けると、その最適な上下間隔を確保することができる。
【００４７】
そして、上下位置決めねじ６１をねじ支持片５３にねじ込む方向に回転させると、上下位置決めねじ６１と取付け部材４１とで上梁２１を挟持し、かつ三角爪６４が木製の上梁２１に食い込んで、上部取付け具４０による、島１へのパチンコ台３０の取付けがより一層確実になる。
【００４８】
次に、図８，図９を参照して、上梁２１に取付けられている上部取付け具４０によって、枠体３１の上部片３１ａを上梁２１に取付ける手順を説明する。なお、図８，図９中のＡ，Ｂ，Ｃは、それぞれ幅寸法（図８，図９中における左右方向の寸法）、厚さ寸法（図８，図９中における上下方向の寸法）が異なる３種類の上部片３１ａを示している。幅寸法については、Ａはａ１、Ｂはｂ１、Ｃはｃ１であり、ａ１＝ｃ１＞ｂ１となっている。一方、厚さ寸法については、Ａはａ２、Ｂはｂ２、Ｃはｃ２であり、ａ２＞ｂ２＞ｃ２となっている。すなわち、Ａは幅，厚さ寸法とも大きく、Ｂは幅，厚さ寸法ともＡよりは小さく、Ｃは幅寸法はＡと同じで大きいが、厚さ寸法はＢよりも小さくなっている。
【００４９】
上記の動作説明で説明したように、上部取付け具４０は、上梁２１に取付け部材４１によって取付けられて、図８に示すように、操作レバー６５が実線の位置にいるとき、挟持爪７２は取付け部材４１から実線の位置に離れている。この状態で、パチンコ台３０の枠体３１の上部片３１ａを挟持爪７２と取付け部材４１の下面４１ａとの間に挿入する。
【００５０】
なお、操作レバー６５と挟持爪７２は、操作レバー６５が規制軸６７に受け止められているので、実線の位置に保持されている。操作レバー６５の支持軸６６と連結軸６８との間の部分（この部分を作動片と称して符号７５を付す）と連結リンク７１は、互いに屈曲している。
【００５１】
職人が、操作レバー６５を実線の位置から破線の位置に向けて（ほぼ上方に）回転操作すると、連結リンク７１が押し上げられて、作動片７５と連結リンク７１とが直線状態に近付き、挟持爪７２も押し上げられる。これにともなって、挟持爪７２が取付け部材４１とで枠体３１の上部片３１ａの挟持を開始する。
【００５２】
なおも、操作レバー６５を回転させると、作動片７５と連結リンク７１とが直線状態になり、その後、作動片７５と連結リンク７１との連結点である連結軸６８が操作レバー６５の支持軸６６と連結ピン７６との間を横切ると（すなわち、デットポイントを超えると）、作動片７５と連結リンク７１との屈曲方向が逆になる。この結果、挟持爪７２の爪部７４と取付け部材４１とが枠体３１の上部片３１ａを挟持して、操作レバー６５はそれ以上回転させることができないで停止する。
【００５３】
このときの作動片７５と連結リンク７１との破線で示す屈曲状態は、実線で示す屈曲状態よりも直線に近い状態になっており、この違いによって、挟持爪７２の爪部７４と取付け部材４１とによる上部片３１ａに対する挟持圧が生じる。
【００５４】
また、実際に、上部片３１ａには、図９に示すように、符号Ａで示す厚みの厚い場合、符号Ｂで示すようにやや厚みの薄い場合、さらに符号Ｃで示す厚みの薄い場合がある。
【００５５】
このため、上部取付け具４０は、職人が、上部片３１ａの厚みに応じて、上下位置決めねじ６１を回転させて本体５０を昇降させ、挟持爪７２と取付け部材４１との間隔調整をする動作と、締め付けナット４６の締め付け，締め付け解除の動作と、操作レバー６５を実線から破線の位置に回転させて、試しに、挟持爪７２と取付け部材４１とで上部片３１ａを挟持する動作とを、何度か繰り返すことによって、最適な挟持圧で上部片３１ａを挟持することができるようになっている。最適な挟持圧に調整されると、上部片３１ａを確実に挟持し、かつ、操作レバー６５を、あまり強い力をもって、デットポイントを超えさせる必要がなく、操作しやすい状態になる。
【００５６】
このようにして、上部取付け具４０は、職人の、単なる（ほぼ上方に向けての）操作レバー６５の回転操作によって、パチンコ台３０の上部片３１ａを挟持して、パチンコ台３０を島１に取付けることができる。さらに、職人の、単なる（ほぼ下方に向けての）操作レバー６５の逆回転操作によって、操作レバー６５を破線の位置から実線の位置に戻して、挟持片７２の爪部７４を取付け部材４１から遠ざけると、上部片３１ａの挟持が開放されて、パチンコ台３０を島から簡単に取外すことができる。
（下部取付け具１４０）
【００５７】
図１０は、本発明の実施形態の遊技機取付け具における下部取付け具１４０の正面図であり、下部取付け具１４０が島１の下梁２２に取付けられて、パチンコ台３０の枠体３１の下部片３１ｂを挟持している状態の図である。図１１は下部取付け具１４０でパチンコ台３０の枠体３１の下部片３１ｂを下梁２２に取付け取外しをする動作説明用の図である。図１２は図１１の平面図である。図１３は図１１の右側面図である。図１４は図１１の左側面図である。図１５は、挟持力調整ねじ１８１とパチンコ台３０の枠体３１の下部片３１ｂとの間隔を調整する動作説明用の図である。
下部取付け具１４０は、島１の下梁２２に取付けられて、パチンコ台３０の枠体３１の下部片３１ｂを挟持し、パチンコ台３０を島１に着脱可能に取付けるようになっている。そして、その挟持を解除すると、パチンコ台３０を島１から取外すことができるようになっている。
【００５８】
図１１において、下部取付け具１４０は、本体１５０と、前後位置決めねじ１６１と、操作レバー１６５と、挟持レバー１７２と、連結リンク１７１等で構成されている。
【００５９】
本体１５０は、１対の支持部材１５０ａ，１５０ｂ（図１２、図１３）で形成されている。支持部材１５０ａ，１５０ｂ（図１３）は、木製の下梁２２の上面２２ａに木ねじ１４２によって取付けられる脚片１４３と、縦片１４４とで断面Ｌ字状に形成されている。１対の支持部材１５０ａ，１５０ｂは、操作レバー１６５の一端を支持する支持軸１６６と、操作レバー１６５の回転を規制する規制軸１６７と、挟持レバー１７２の一端を支持する支持軸１７７とによって、縦片１４４同士を背中合わせに間隔をおいて接続されて一体化されている。
【００６０】
ここで、図１０に示すように、一方の縦片１４４には、ロックねじ（不図示）が螺合される雌ねじ１４４ａ又は雌ねじ１４４ｂが螺刻されている。雌ねじ１４４ａが螺刻されている場合には、操作レバー１６５が、図１５に示す位置（固定位置）に配置された状態で、この雌ねじ１４４ａにロックねじをねじ込むと、雌ねじの先端１４４ｃは、操作レバー１６５に当接するとともに、連結リンク１７１の周面に接触する。この状態で、操作レバー１６５を解除方向に回転させようとすると、連結リンク１７１の周面がロックねじの先端１４４ｃに当たって連結リンク１７１の移動が禁止され、これに伴って操作レバー１６５の移動も禁止される。つまり、操作レバー１６５が固定位置にロックされる。なお、ロックねじを緩めることにより、このロック状態を解除することができる。
【００６１】
一方、図１０に示す雌ねじ１４４ｂが螺刻されている場合には、挟持レバー１７２における、雌ねじ１４４ｂに対応する位置に透孔（不図示）を穿設しておく。操作レバー１６５が、図１５に示す位置（固定位置）に配置された状態で、この雌ねじ１４４ｂにロックねじをねじ込むと、雌ねじの先端１４４ｄは、挟持レバー１７２の透孔に入り込む。この状態で、操作レバー１６５を解除方向に回転させようとしても、ロックねじの先端１４４ｄが挟持レバー１７２の透孔から抜けないので、挟持レバー１７２の移動が禁止され、さらには、連結リンク１７１、操作レバー１６５の移動が禁止される。つまり、操作レバー１６５が固定位置にロックされる。なお、ロックねじを緩めることにより、このロック状態を解除することができる。
【００６２】
１対の支持部材１５０ａ，１５０ｂのうち、一方の支持部材１５０ａには、前後位置決めねじ１６１がねじ込まれている。前後位置決めねじ１６１の後端には摘み１６２が一体に設けられている。前後位置決めねじ１６１の先端には、横向きのカップ状の押圧片１６３が回転自在に設けられている。押圧片１６３のカップ状の縁には、横向きに複数の三角爪１６４が突設されている。
【００６３】
操作レバー１６５と挟持レバー１７２は、互いに反対方向に延びている。
【００６４】
操作レバー１６５の中間部分には、連結リンク１７１の一端１７１ａが連結軸１６８によって回転自在に連結されている。連結リンク１７１の他端１７１ｂは、挟持レバー１７２の中間部に連結ピン１７６を介して回転自在に連結されている。
【００６５】
挟持レバー１７２は、挟持力調整ねじ１８１を先端に有し、挟持力調整ねじ１８１を介して下梁２２とで枠体３１の下部片３１ｂを挟持するようになっている。挟持力調整ねじ１８１は、本体１５０が取付けられた下梁２２と挟持レバー１７２とで枠体３１の下部片３１ｂを挟持する挟持力を調整するねじである。
【００６６】
挟持力調整ねじ１８１の上端には摘み１８２が一体に設けられている。挟持力調整ねじ１８１の先端(下端）には、下向きのカップ状の押圧片１８３が回転自在に設けられている。押圧片１８３のカップ状の縁には、下向きに複数の三角爪１８４が突設されている。
【００６７】
次に、下部取付け具１４０を下梁２２に取付けて、下梁２２と挟持レバー１７２とでパチンコ台３０の枠体３１の下部片３１ｂを挟持し、下部片３１ｂを下梁２２に取付ける手順を説明する。
【００６８】
なお、パンチコ台３０の枠体３１は、上部片３１ａが例えば上部取付け具４０によって上梁２１に取付けられているものとする。
【００６９】
下部取付け具１４０は、本体１５０が木ねじ１４２によって下梁２２に取付けられることによって、下梁２２に取付けられる。そして、前後位置決めねじ１６１を回転させて、枠体３１の下部片３１ｂを後ろから前方に押し出す（図１０において、右から左に押し出す）。すると、下部片３１ｂは、前側（遊技者側）に移動する。枠体３１の上部片３１ａは、上部取付け具４０によって上梁２１に固定されているので、下部片３１ｂだけが前側に移動して、枠体３１の上部が後ろに傾いたような状態になる。因みに、パチンコ台３０は、垂直の状態から、前後位置決めねじ１６１によって、下部片３１ｂを前側に約０．１ｍｍ乃至約０．５ｍｍに移動させると、上部が約２度乃至約３度傾いた状態になる。
【００７０】
この傾き調整は、島１にパチンコ台３０を取付けるベテランの職人でないと、時間を要する。しかし、本発明の下部取付け具１４０を使用すると、ベテランの職人でなくても、パチンコ台３０に傾きを測定する測定器（不図示）を見ながら、前後位置決めねじ１６１を少しずつ回転させることによって、パチンコ台の傾きを短時間で容易に調整することができる。
【００７１】
操作レバー１６５は、図１１において、破線の位置に傾いている。このとき、操作レバー１６５の支持軸１６６と連結軸１６８との間の部分（この部分を作動片と称して符号１７５を付す）と、連結リンク１７１は、破線のように互いに屈曲している。
図１１において、職人が操作レバー１６５を破線の位置から実線の位置に向けて回転操作をすると、連結リンク１７１の一端１７１ａが押し下げられる。連結リンク１７１は、他端１７１ｂが挟持レバー１７２の中間部分に連結されているため、挟持レバー１７２を押しながら水平な状態に近付く。このため、挟持レバー１７２は、破線の位置から下部片３１ｂに接近する方向に回転を開始して、下部片３１ｂの上面を押圧し始める。すなわち、挟持レバー１７２は、下梁２２とで下部片３１ｂの挟持を開始する。
【００７２】
なおも、操作レバー１６５を回転させると、作動片１７５と連結リンク１７１とが直線状態になり、その後、作動片１７５と連結リンク１７１との連結点である連結軸１６８が、操作レバーの支持軸１６６と連結ピン１７６との間を横切ると（すなわち、デットポイントを超えると）、作動片１７５と連結リンク１７１との屈曲方向が逆になる。この結果、挟持レバー１７２は実線の位置で下梁２２とで枠体３１の下部片３１ｂを挟持する。操作レバー１６５は規制軸１６７に当接してそれ以上回転させることができないで停止する。
【００７３】
このときの作動片１７５と連結リンク１７１との実線で示す屈曲状態は、破線で示す屈曲状態よりも直線に近い状態になっており、この違いによって、挟持レバー１７２と下梁２２とによる下部片３１ｂに対する挟持圧が生じる。
【００７４】
なお、実際には、下部片３１ｂも、図１５に示すように、符号Ａで示す厚みの厚い場合、符号Ｂで示すように厚みの薄い場合がある。
【００７５】
このため、下部取付け具１４０は、職人が下部片３１ｂの厚みに応じて、挟持レバー１７２から下に突出する挟持力調節ねじ１８１の長さを調節する動作と、操作レバー１６５を破線から実線の位置に回転させて、試しに、挟持レバー１７２と下梁２２とで下部片３１ｂを挟持する動作とを、何度か繰り返すことによって、最適な挟持圧で下部片３１ｂを挟持することができるようになっている。最適な挟持圧に調整されると、下部片３１ｂを確実に挟持し、かつ、操作レバー１６５をあまり強い力でデットポイントを超えさせる必要がなく、操作をしやすくなる。
【００７６】
また、前後位置決めねじ１６１は、先端に枠体３１の下部片３１ｂに食い込む三角爪１６４を有しているので、下部片３１ｂの前後位置の調節を正確に行うことができる。同様に、挟持力調整ねじ１８１も、先端に下部片３１ｂに食い込む三角爪１８４を有しているので、下部片３１ｂを下梁２２とで、確実に挟持することができる。
【００７７】
このようにして、下部取付け具１４０は、職人の単なる（ほぼ上方に向けての）操作レバー１６５の回転操作によって、島１の下梁２２にパチンコ台３０の下部片３１ｂを挟持して、パチンコ台３０を島１に取付けることができる。さらに、職人の単なる（ほぼ下方に向けての）操作レバー１６５の逆回転操作によって、操作レバー１６５を実線の位置から破線の位置に戻して、挟持レバー１７２の挟持力調節ねじ１８１を下部片３１ｂから離すと、上部片３１ａの挟持が開放されて、パチンコ台３０を島１から簡単に取外すことができる。
【００７８】
ここで、島１に対してパチンコ台３０を取り付ける際に、図８等に示す上部取付け具４０と、図１１等に示す下部取付け具１４０とをセットで（組み合わせて）使用した場合には、まず、上部取付け具４０によって、枠体３１の上部片３１ａを島１の上梁２１に固定した後、下部取付け具１４０によって、枠体３１の下部片３１ｂを、前後方向の位置調整をしつつ、島１の下梁２２に固定することができる。つまり、微調整が必要な枠体３１の前後方向の位置調整を、位置的に高い位置にある上部取付け部４０ではなく、低い位置にあって取り扱いが容易な下部取付け具１４０によって行うことができるので、前後位置調整を含む、島１に対するパチンコ台３０の取付け作業（固定作業）を効率的に行うことができる。
【００７９】
図１６は、図１０乃至図１５に示す下部取付け具１４０とは、操作レバー２６５の操作方向が異なる場合の下部取付け具２４０の正面図である。
【００８０】
以下、図１６を参照して、上述の下部取付け具１４０とは別の下部取付け具２４０を説明する。前述した下部取付け具１４０と同一部分については同一の符号を付してその部分の説明を省略する。
【００８１】
操作レバー２６５は、本体２５０に設けられた回転自在な支持軸２６６から反対側に延びて上方に屈曲した延長片２７５を有している。挟持レバー２７２も同様に、本体１５０に設けられた回転自在な支持軸２７７から反対側に延びて上方に屈曲した延長片２７８を有している。
【００８２】
操作レバー２６５の延長片２７５の回動端部２７５ａと、挟持レバー２７２の延長片２７８の回動端部２７８ａとには、連結軸２６８と連結ピン２７６とによって、連結リンク２７１が回転自在に連結されている。
【００８３】
図１６の下部取付け具２４０による、挟持動作を説明する。
【００８４】
職人が、操作レバー２６５を破線の位置から実線の位置に（ほぼ下方に向けて）回転操作をする。すると、連結軸２６８が持ち上げられる。すなわち、連結リンク２７１の一端２７１ａが押し上げられる。連結リンク２７１は、他端２７１ｂが挟持レバー２７２の延長片２７８の回動端部２７８ａに連結されているため、挟持レバー２７２を押しながら延長片２７５と直線の状態に近付く。このため、挟持レバー２７２は、破線の位置から下部片３１ｂに接近する方向に回転を開始して、下部片３１ｂの上面を押圧し始める。すなわち、挟持レバー２７２は、下梁２２とで下部片３１ｂの挟持を開始する。
【００８５】
なおも、操作レバー２６５を回転させると、延長片２７５と連結リンク２７１とが直線状態になり、その後、延長片２７５と連結リンク２７１との連結点である連結軸２６８が、支持軸２６６と連結ピン２７６との間を横切ると（すなわち、デットポイントを超えると）、延長片２７５と連結リンク２７１との屈曲方向が逆になる。この結果、挟持レバー２７２は実線の位置で下梁２２とで枠体３１の下部片３１ｂを挟持する。操作レバー２６５は規制軸２６７に当接してそれ以上回転しないように規制される。
【００８６】
このときの延長片２７５と連結リンク１７１との実線で示す屈曲角は、破線で示す屈曲角よりも大きくなっている。この違いによって、挟持レバー２７２と下梁２２とによる下部片３１ｂに対する挟持圧が生じる。
【００８７】
一方、操作レバー２６５を実線の位置から点線の位置に（ほぼ上方に向けて）逆回転操作することによって、下部片３１ｂの挟持を開放すれば、パチンコ台３０を島１から簡単に取り外すことができる。
【００８８】
図１６に示す下部取付け具１４０は、パチンコ台３０を島１に取り付ける（固定する）際に、上述の上部取付け具４０（図８参照）とセットで使用することにより、以下のように、固定忘れを積極的に防止することができる。
【００８９】
上述の上部取付け具４０は、パチンコ台３０を島１に固定するに際し、操作レバー６５を図８中の実線の位置から波線の位置にほぼ上方に向けて回転操作することによって、枠体３１の上部片３１ａを、島１の上梁２１の下面２１ａに対して、「下方から上方に押し付けるようにして」固定する。つまり、上部取付け具４０による、上部片３１ａの押圧方向（下方から上方）と、操作レバー６５の操作方向（ほぼ上方）とが一致する。言い換えると、操作レバー６５を、単に、それ以上動かなくなるまで押し上げれば、枠体３１の上部片３１ａを島１の上梁２１に固定することができる。
【００９０】
一方、図１６に示す下取付け具１４０は、パチンコ台３０を島１に固定するに際し、操作レバー２６５を図１６中の波線の位置から実線の位置にほぼ下方に向けて回転操作することによって、枠体３１の下部片３１ｂを、島１の下梁２２の上面２２ａに対して、「上方から下方に押し付けるようにして」固定する。つまり、図１６に示す下部取付け具１４０による、下部片３１ｂの押圧方向（上方から下方）と、操作レバー２６５の操作方向（ほぼ下方）とが一致する。言い換えると、操作レバー２６５を、単に、それ以上動かなくなるまで押し下げれば、枠体３１の下部片３１ｂを島１の下梁２２に固定することができる。
【００９１】
このように、上部取付け具４０と下部取付け具１４０の双方とも、枠体３１の上部片３１ａ、下部片３１ｂの固定方向と、操作レバー６５，２６５の回転方向とが一致するので、固定忘れを有効に防止することができる。
【符号の説明】
【００９２】
１      島
２１      上梁 
２１ａ    上梁の下面
２１ｂ    上梁の側面
２２      下梁
２２ａ    下梁の上面
３０      パチンコ台
３１      枠体
３１ａ    上部片(上部）
３１ｂ    下部片(下部）
４０      上部取付け具（遊技機取付け具）
４１      取付け部材
４１ａ    取付け部材の下面
４７      固定機構（固定手段）
５０      本体
６１      上下位置決めねじ
６４      三角爪(爪）
６５      操作レバー
６６      操作レバーの支持軸
６８      連結軸（連結リンクと操作レバーとの連結点）
６９      調整機構(調整手段）
７１      連結リンク
７１ａ    連結リンクの一端
７１ｂ    連結リンクの他端
７２      挟持爪
７４      爪部
７６      連結ピン（連結リンクと挟持爪との連結点）
１４０      下部取付け具（遊技機取付け具）
１５０      本体
１６１      前後位置決めねじ
１６４      三角爪(爪）
１６５      操作レバー
１６６      操作レバーの支持軸
１６８      連結軸（連結リンクと操作レバーとの連結点）
１７１      連結リンク
１７１ａ    連結リンクの一端
１７１ｂ    連結リンクの他端
１７２      挟持レバー
１７６      連結ピン（連結リンクと挟持レバーとの連結点）
１８１      挟持力調整ねじ
１８４      三角爪(爪）
２４０      下部取付け具（遊技機取付け具）
２６５      操作レバー
２６６      操作レバーの支持軸
２６８      連結軸（連結リンクと操作レバーの延長片との連結点）
２７１      連結リンク
２７１ａ    連結リンクの一端
２７１ｂ    連結リンクの他端
２７２      挟持レバー
２７５      操作レバーの延長片
２７５ａ    延長片の回動端部
２７６      連結ピン（連結リンクと挟持爪の延長片との連結点）
２７７      挟持レバーの支持軸
２７８      挟持レバーの延長片
【図１】
2010207410.tif 000003
【図２】
2010207410.tif 000004
【図３】
2010207410.tif 000005
【図４】
2010207410.tif 000006
【図５】
2010207410.tif 000007
【図６】
2010207410.tif 000008
【図７】
2010207410.tif 000009
【図８】
2010207410.tif 000010
【図９】
2010207410.tif 000011
【図１０】
2010207410.tif 000012
【図１１】
2010207410.tif 000013
【図１２】
2010207410.tif 000014
【図１３】
2010207410.tif 000015
【図１４】
2010207410.tif 000016
【図１５】
2010207410.tif 000017
【図１６】
2010207410.tif 000018